(57)【特許請求の範囲】
【請求項１】
インターネットに接続可能な会員電話と、上記インターネットに接続したインターネットサーバーと、インターネットを介して会員に提供する文字コンテンツを記憶する第１文字コンテンツ記憶手段と、電話回線に接続した電話サーバーと、電話回線を介して会員に提供する音声コンテンツを記憶する音声コンテンツ記憶手段とを備え、
上記第１文字コンテンツ記憶手段は、上記インターネットサーバーに設けるか、あるいは、インターネットサーバーとは別にインターネットに接続可能にして設けるとともに、上記音声コンテンツ記憶手段は、上記電話サーバーに設けるか、あるいは、電話サーバーとは別に電話回線に接続可能にして設け、上記インターネットサーバーには、会員特定情報と会員電話の電話番号とを対応づけて記憶する会員情報記憶手段と、上記会員電話から入力された会員特定情報に基づいて会員電話の電話番号を特定する会員電話番号特定手段と、この特定した会員電話番号を上記電話サーバーへ送信する会員電話番号送信手段と、上記会員電話に電話サーバーの電話番号を貼付した文字コンテンツを表示させる文字コンテンツ表示手段とを備え、上記電話サーバーには、上記インターネットサーバーから取得した会員電話番号をその取得時から所定時間記憶しておく会員電話番号記憶手段と、電話回線から取得した会員電話番号を上記会員電話番号記憶手段に記憶された会員電話番号と対比して、それらが一致したとき、上記音声コンテンツ記憶手段が記憶している音声コンテンツを発信する音声コンテンツ発信手段とを備えた情報提供システム。
【請求項２】
文字コンテンツ記憶手段は、複数種の文字コンテンツ画面を記憶し、音声コンテンツ記憶手段は、上記文字コンテンツ画面に対応した複数種の音声コンテンツを記憶し、かつ、インターネットサーバーには、会員電話がアクセスした文字コンテンツ画面を特定して、その画面特定情報を電話サーバーへ送信する画面特定情報送信手段を備え、音声コンテンツ発信手段は、上記画面特定情報に対応した音声コンテンツを発信する請求項１に記載の情報提供システム。
【請求項３】
インターネットサーバーは、それぞれインターネットに接続する第１サーバーと、第２サーバーとからなり、上記第１サーバーには、会員情報記憶手段と、上記会員電話から入力された会員特定情報に基づいて会員電話の電話番号を特定する会員電話番号特定手段とを備え上記第２サーバーには、第１サーバーから取得した会員電話番号を上記電話サーバーへ送信する会員電話番号送信手段を備え、上記第１サーバーまたは第２サーバーのいずれかに、文字コンテンツ記憶手段と、電話サーバー電話番号を貼付した文字コンテンツを表示する文字コンテンツ表示手段とを備えた請求項１または２に記載の情報提供システム。
【請求項４】
インターネットに接続可能な会員電話と、上記インターネットに接続したインターネットサーバーと、インターネットを介して会員に提供するインターネット用文字コンテンツを記憶する第１文字コンテンツ記憶手段と、電話回線に接続した電話サーバーと、電話回線を介して会員へ提供する電話回線用文字コンテンツを記憶する第２文字コンテンツ記憶手段とを備え、上記第１文字コンテンツ記憶手段は、上記インターネットサーバーに設けるか、あるいは、インターネットサーバーとは別にインターネットに直接接続可能にして設けるとともに、上記第２文字コンテンツ記憶手段は、上記インターネットサーバー、あるいは、電話サーバーに設け、上記インターネットサーバーには、会員特定情報と会員電話の電話番号とを対応づけて記憶する会員情報記憶手段と、上記会員電話から入力された会員特定情報に基づいて会員電話の電話番号を特定する会員電話番号特定手段と、この特定した会員電話番号を上記電話サーバーへ送信する会員電話番号送信手段と、上記会員電話に電話サーバーの電話番号を貼付したインターネット用文字コンテンツを表示させる文字コンテンツ表示手段とを備え、上記電話サーバーには、上記インターネットサーバーから取得した会員電話番号をその取得時から所定時間記憶しておく会員電話番号記憶手段と、電話回線から取得した会員電話番号を上記会員電話番号記憶手段に記憶された会員電話番号と対比して、それらが一致したとき、会員のファックス番号を受け付け、そのファックス番号へ上記電話回線用文字コンテンツを発信する文字コンテンツ発信手段とを備えた情報提供システム。
【発明の詳細な説明】
【０００１】
【発明の属する技術分野】
この発明は、インターネットを介してアクセスしたウエブページから電話をかけたユーザーへ、電話回線を介して音声コンテンツや文字コンテンツを提供する情報提供システムに関する。
【０００２】
【従来の技術】
従来から、インターネットに接続可能な電話機を利用するユーザーに、ウエブページと組み合わせて音声コンテンツを提供するシステムとして、例えば、図７に示すようなものがある。このシステムは、インターネットに接続したインターネットサーバーＳ１と、電話回線Ｔに接続した電話サーバーＳ２とを備えている。そして、ユーザーの携帯電話１は、どちらのサーバーＳ１，Ｓ２にも、アクセスが可能である。
なお、このシステムは、会費を納めた会員のみに情報を提供するためのものとする。
【０００３】
上記インターネットサーバーＳ１には、処理部２と、会員情報記憶手段３と、文字コンテンツ記憶手段４とを備え、電話サーバーＳ２は、音声コンテンツ発信手段５と、音声コンテンツ記憶手段６とを備えている。
そして、会員が自分の携帯電話１からインターネットＩに接続して、インターネットサーバーＳ１のウエブページにアクセスすると、上記処理部２は、アクセスしてきた携帯電話の機械ＩＤや、入力されたパスワードなどと、上記会員情報記憶手段３に記憶された情報とを対比して、正規の会員であることを確認してから、文字コンテンツ記憶手段４から所定の画面、すなわち文字コンテンツを抽出して、それを会員の携帯電話１に表示させる。
【０００４】
ここで表示されるコンテンツは、どのようなものでもよいが、例えばアイドルＡに関する情報で、アイドルＡのコンサートや、出演テレビ番組の予定などがある。上記処理部２は、このような文字コンテンツを表示させるとともに、図８に示すように、音声コンテンツ要求画面も表示させる。この音声コンテンツ要求画面には、例えば、アイドルＡの声を聞くことができる旨を表示し、その画面の中に「聞く」ボタン７を表示させている。この「聞く」ボタン７には、電話サーバーＳ２の電話番号が貼り付けられている。そして、上記画面の「聞く」ボタン７を選択して実行すれば、上記携帯電話１は、インターネットＩへの接続を切って、自動的に上記電話サーバー２へ電話をかける。電話サーバーＳ２は、電話がかかってきたら、音声コンテンツ発信手段５が、音声コンテンツ記憶手段６に記憶されている音声コンテンツを再生して、会員の携帯電話１へ送信する。ここで、再生する音声コンテンツは、上記ウエブページの情報に関連したものであり、例えばアイドルＡのメッセージや、歌声などである。
【０００５】
このような音声コンテンツは、会費を納入した会員に対して提供されるものである。上記インターネットサーバーＳ１では、会員情報から、アクセスしてきたユーザーが会員か否かを判断して、正規会員だけに文字コンテンツを表示させるようにしているが、電話サーバーＳ２では、電話がかかってきたら自動的に音声コンテンツを再生するようにしている。
そのため、例えば、会員契約をうち切って会費を納めなくなったユーザーや、会員から電話番号を教えられた非会員でも、電話サーバーＳ２の電話番号さえわかっていれば、直接電話サーバーＳ２に電話をかけて音声コンテンツだけを聞くことができる。
そこで、上記電話サーバーＳ２の電話番号を、図８に示す画面にそのまま表示させないで、「聞く」ボタン７の裏に隠すようにしている。
【０００６】
【発明が解決しようとする課題】
上記のように、会員の携帯電話１に表示されるウエブページ内には、電話サーバーの電話番号を表示させないようにしている。しかし、携帯電話１には、発信履歴が残る仕組みがある。そのため、上記図８の画面内の「聞く」ボタン７から電話をかけたとしても、自分の携帯電話の発信履歴を見れば、上記電話サーバーＳ２の電話番号を知ることができる。従って、その電話番号を使えば、非会員であっても、電話サーバーＳ２の音声コンテンツを聞くことができる。つまり、音声コンテンツ提供者は、不正利用するユーザーに対して、無料で、音声コンテンツを提供しなければならないという問題があった。
この発明の目的は、電話サーバー側でも、正規の会員かどうかを判断して、正規の会員にのみコンテンツを提供できるようにした情報提供システムを実現することである。
【０００７】
【課題を解決するための手段】
第１の発明は、インターネットに接続可能な会員電話と、上記インターネットに接続したインターネットサーバーと、インターネットを介して会員に提供する文字コンテンツを記憶する第１文字コンテンツ記憶手段と、電話回線に接続した電話サーバーと、電話回線を介して会員に提供する音声コンテンツを記憶する音声コンテンツ記憶手段とを備え、
上記第１文字コンテンツ記憶手段は、上記インターネットサーバーに設けるか、あるいは、インターネットサーバーとは別にインターネットに接続可能にして設けるとともに、上記音声コンテンツ記憶手段は、上記電話サーバーに設けるか、あるいは、電話サーバーとは別に電話回線に接続可能にして設け、上記インターネットサーバーには、会員特定情報と会員電話の電話番号とを対応づけて記憶する会員情報記憶手段と、上記会員電話から入力された会員特定情報に基づいて会員電話の電話番号を特定する会員電話番号特定手段と、この特定した会員電話番号を上記電話サーバーへ送信する会員電話番号送信手段と、上記会員電話に電話サーバーの電話番号を貼付した文字コンテンツを表示させる文字コンテンツ表示手段とを備え、上記電話サーバーには、上記インターネットサーバーから取得した会員電話番号をその取得時から所定時間記憶しておく会員電話番号記憶手段と、電話回線から取得した会員電話番号を上記会員電話番号記憶手段に記憶された会員電話番号と対比して、それらが一致したとき、上記音声コンテンツ記憶手段が記憶している音声コンテンツを発信する音声コンテンツ発信手段とを備えた点に特徴を有する。
【０００８】
なお、上記会員特定情報には、会員が自分で入力するＩＤやパスワードのほか、インターネットにアクセスした際に自動的にとることができるメールアドレスや、会員電話固有の機械ＩＤなどが含まれる。
【０００９】
第２の発明は、文字コンテンツ記憶手段は、複数種の文字コンテンツ画面を記憶し、音声コンテンツ記憶手段は、上記文字コンテンツ画面に対応した複数種の音声コンテンツを記憶し、かつ、インターネットサーバーには、会員電話がアクセスした文字コンテンツ画面を特定して、その画面特定情報を電話サーバーへ送信する画面特定情報送信手段を備え、音声コンテンツ発信手段は、上記画面特定情報に対応した音声コンテンツを発信する点に特徴を有する。
【００１０】
第３の発明は、インターネットサーバーは、それぞれインターネットに接続する第１サーバーと、第２サーバーとからなり、上記第１サーバーには、会員情報記憶手段と、上記会員電話から入力された会員特定情報に基づいて会員電話の電話番号を特定する会員電話番号特定手段とを備え上記第２サーバーには、第１サーバーから取得した会員電話番号を上記電話サーバーへ送信する会員電話番号送信手段を備え、上記第１サーバーまたは第２サーバーのいずれかに、文字コンテンツ記憶手段と、電話サーバー電話番号を貼付した文字コンテンツを表示する文字コンテンツ表示手段とを備えた点に特徴を有する。
【００１１】
第４の発明は、インターネットに接続可能な会員電話と、上記インターネットに接続したインターネットサーバーと、インターネットを介して会員に提供するインターネット用文字コンテンツを記憶する第１文字コンテンツ記憶手段と、電話回線に接続した電話サーバーと、電話回線を介して会員へ提供する電話回線用文字コンテンツを記憶する第２文字コンテンツ記憶手段とを備え、上記第１文字コンテンツ記憶手段は、上記インターネットサーバーに設けるか、あるいは、インターネットサーバーとは別にインターネットに接続可能にして設けるとともに、上記第２文字コンテンツ記憶手段は、上記インターネットサーバー、あるいは、電話サーバーに設け、上記インターネットサーバーには、会員特定情報と会員電話の電話番号とを対応づけて記憶する会員情報記憶手段と、上記会員電話から入力された会員特定情報に基づいて会員電話の電話番号を特定する会員電話番号特定手段と、この特定した会員電話番号を上記電話サーバーへ送信する会員電話番号送信手段と、上記会員電話に電話サーバーの電話番号を貼付したインターネット用文字コンテンツを表示させる文字コンテンツ表示手段とを備え、上記電話サーバーには、上記インターネットサーバーから取得した会員電話番号をその取得時から所定時間記憶しておく会員電話番号記憶手段と、電話回線から取得した会員電話番号を上記会員電話番号記憶手段に記憶された会員電話番号と対比して、それらが一致したとき、会員のファックス番号を受け付け、そのファックス番号へ上記電話回線用文字コンテンツを発信する文字コンテンツ発信手段とを備えた点に特徴を有する。
【００１２】
なお、上記ファックスとはファクシミリのことである。そして、この明細書及び図面では、ファクシミリを「ファックス」と表現している。
【００１３】
【発明の実施の形態】
図１、図２に示す第１実施例は、インターネットＩに接続したインターネットサーバーＳ１と、電話サーバーＳ２とを備えている。また、会員は、この発明の会員電話である携帯電話１によって、インターネットＩを介して文字コンテンツを受信し、電話回線Ｔを介して、音声コンテンツを受信するようにしている。そして、上記インターネットサーバーＳ１と電話サーバーＳ２との間をＬＡＮ（Local area network）回線Ｌによって接続している。この第１実施例では、ＬＡＮ回線Ｌを用いているが、上記両サーバーＳ１とＳ２の設置場所が離れている場合には、ＬＡＮ回線Ｌの代わりに、ＷＡＮやその他のコンピュータネットワークを利用することができる。
【００１４】
上記インターネットサーバーＳ１は、処理部８と、会員情報記憶手段３と、文字コンテンツ記憶手段４とを備え、上記処理部８は、図２に示すように、会員の携帯電話１に文字コンテンツを表示させる文字コンテンツ表示手段９と、会員電話番号特定手段１０と、ここで特定された会員電話番号を、上記電話サーバーＳ２へ送信する会員電話番号送信手段１１とを備えている。なお、上記文字コンテンツ記憶手段４は、この発明のインターネット用文字コンテンツを記憶する第１文字コンテンツ記憶手段である。
また、上記会員情報記憶手段３には、予め、会員の携帯電話１の電話番号を、会員ＩＤなどこの発明の会員特定情報に対応づけて記憶させておく。
【００１５】
一方、電話サーバーＳ２は、音声コンテンツ発信手段５と、音声コンテンツ記憶手段６と、会員電話番号記憶手段１２とを備えている。上記会員電話番号記憶手段１２は、上記インターネットサーバーＳ１の会員電話番号送信手段１１から送信された電話番号を予め設定した所定時間だけ記憶させておく手段である。
また、上記音声コンテンツ発信手段５は、電話サーバーＳ２にかかってきた電話の電話番号を特定する機能も備えている。
なお、上記インターネットサーバーＳ１や電話サーバーＳ２は、必ずしも、上記文字コンテンツや、音声コンテンツの提供者が設置しなくてもよい。つまり、コンテンツ提供者とサーバー提供者とが別々であってもかまわない。
【００１６】
この第１実施例では、文字コンテンツ記憶手段４は、インターネットサーバーＳ１内にあるが、この文字コンテンツ記憶手段４を、インターネットサーバーＳ１と別にして、インターネットサーバーＳ１に直接接続してもよいし、インターネットＩを介して接続するようにしてもかまわない。また、音声コンテンツ記憶手段６も、電話サーバーＳ２と別に設けることもできる。
【００１７】
以下にこのシステムの利用手順を説明する。
まず、会員は、自分の携帯電話１によって、インターネットサーバーＳ１にアクセスして、ウエブページを表示させる。会員が、インターネットサーバーＳ１にアクセスしてウエブページを表示させる際には、自分のＩＤやパスワードを入力して、認証されるようにしている。つまり、インターネットサーバーＳ１では、処理部８の文字コンテンツ表示手段９が、会員の認証を行ってから、文字コンテンツ記憶手段４の文字コンテンツを、会員の携帯電話１へ表示させる。
【００１８】
一方、処理部８の会員電話番号特定手段１０は、上記会員ＩＤと、会員情報記憶手段３の会員情報とを対比して、アクセスしてきた会員の電話番号を特定する。ここで特定した会員電話番号を、会員電話番号送信手段１１が、回線Ｌを介して電話サーバーＳ２へ送信する。電話サーバーＳ２では、インターネットサーバーＳ１から送信された会員電話番号を会員電話番号記憶手段１２に記憶させる。ただし、この会員電話番号記憶手段１２は、入力された会員電話番号を記憶している時間が限られている。この制限時間は、システムごとに予め設定しておくものであり、会員電話番号が、上記会員電話番号記憶手段１２に入力されてから時間の計測を開始し、所定時間が経過したら、上記会員電話番号を消去する。また、所定時間内に、上記会員電話番号へ音声コンテンツを送信した場合にも、その会員電話番号を会員電話番号記憶手段１２から消去するようにしている。
【００１９】
また、会員の携帯電話１に表示された文字コンテンツの中には、図９に示す従来例と同様の音声コンテンツ要求画面が含まれ、この画面には電話サーバーＳ２の電話番号が貼付されている。そこで、会員は、文字コンテンツを見るだけではなく、音声コンテンツも聞きたい場合には、「聞く」ボタン７を選択して、電話サーバーＳ２へ自動的に電話をかけることができる。
電話サーバーＳ２の音声コンテンツ発信手段５は、かけてきた電話の発信元電話番号を特定して、会員電話番号記憶手段１２に記憶されている会員電話番号と対比する。電話サーバーＳ２にかかってきた電話が、正規会員が上記ウエブページを介してかけてきた電話の場合には、その電話番号が、上記会員電話番号記憶手段１２に入力されているはずである。従って、両電話番号が一致した場合には、音声コンテンツ発信手段５は、音声コンテンツ記憶部６の音声コンテンツを再生して、上記携帯電話１へ発信する。
【００２０】
もしも、電話回線Ｔから取得した電話番号と、上記会員電話番号記憶手段１２に記憶している電話番号とが一致しなかった場合には、電話回線Ｔにかけてきた電話が、非会員の電話からであると判断し、音声コンテンツの発信は行わない。そして、例えば、会員認証ができなかったので、音声コンテンツの提供はできない旨を通知して、電話を切るようにする。
このようにすれば、電話サーバーＳ２においても、かけてきた電話が会員のものであるか否かを、判定することができ、不正に利用しようとする非会員に対して、音声コンテンツを発信してしまうことを防ぐことができる。
ただし、正規の会員であっても、インターネットからアクセスしなければ、正規会員と認められないので、音声コンテンツを聞くことはできない。
【００２１】
なお、上記会員電話番号記憶手段１２に、会員電話番号を記憶しておく時間に制限を設けたのは、インターネットサーバーＳ１から取得した電話番号が、永久的に会員のものであるとは限らないからである。もしも、正規会員のときに、インターネットサーバーＳ１にアクセスすれば、そのユーザーの電話番号が会員電話番号として、会員電話番号記憶手段１２に記憶され続けるようにした場合には、会員でなくなってからも、直接電話サーバーＳ２に電話をかけて音声コンテンツを聞くことができることになってしまう。そこで、上記会員電話番号記憶手段１２に、会員電話番号を記憶している時間に期限を設けたのである。
上記制限時間は、インターネットにアクセスして、図９の「聞く」ボタン７を表示させてから、電話サーバーＳ２にアクセスするまでの時間を考慮して決めるようにする。
【００２２】
図３に示す第２実施例は、上記第１実施例におけるインターネットサーバーＳ１の機能を２つに分けたシステムである。つまり、第１サーバーＳ３と、第２サーバーＳ４とをインターネットＩに接続している。そして、第２サーバーＳ４は、ＬＡＮ回線Ｌによって電話サーバーＳ２に接続している。
上記第１サーバーＳ３には、会員情報記憶手段３と、会員電話番号特定手段１０と、文字コンテンツ記憶手段４と、文字コンテンツ表示手段９とを備え、第２サーバーＳ４には、会員電話番号送信手段１１を備えている。
上記第１サーバーＳ３と第２サーバーＳ４内の各手段は、それぞれ、上記第１実施例の各手段と同様の機能を有するので、それぞれの詳細な説明は省略する。
また、電話サーバーＳ２は、上記第１実施例の電話サーバーＳ２と同じものである。
【００２３】
まず、会員は、携帯電話１からインターネットＩを介して、第１サーバーＳ３へアクセスする。この第１サーバーＳ３では、文字コンテンツ表示手段９が、文字コンテンツ記憶手段４の文字コンテンツを上記携帯電話１に表示させる。ここで、表示させる文字コンテンツのページの中には、図９に示すように、音声コンテンツを聞くために、電話サーバーの電話番号を貼付したページが表示される。このページの「聞く」ボタン７を選択して実行キーを押せば、自動的に、電話サーバー２へ電話がかかるようにしている。
【００２４】
また、会員電話番号特定手段１０が、会員情報記憶手段３の情報に基づいて会員電話番号を特定し、その会員電話番号をインターネットＩを介して第２サーバーＳ４へ送信する。
第２サーバーＳ４の会員電話番号送信手段１１は、第１サーバーＳ３から送信された会員電話番号を、回線Ｌを介して電話サーバーＳ２の会員電話番号記憶部１２へ送信する。
【００２５】
一方、電話サーバーＳ２の会員電話番号記憶手段１２では、第２サーバーＳ４から送信された会員電話番号を所定時間、記憶するようにしている。そして、この所定時間内に、電話回線Ｔを介して、上記会員電話番号からのアクセスが有ったときには、音声コンテンツ発信手段５が音声コンテンツを発信する手順は、上記第１実施例と同じある。すなわち、上記音声コンテンツ発信手段５が、発信元の電話番号を特定して、その電話番号と会員電話番号記憶手段１２に記憶されている会員電話番号とを対比する。そして、両者が一致した場合には、音声コンテンツを発信し、一致しなかった場合には、音声コンテンツを発信できない旨を知らせて、電話を切る。また、所定時間経過した場合には、上記会員電話番号を上記会員電話番号記憶手段１２から削除する。
【００２６】
上記第２実施例においても、電話サーバーＳ２が、会員の正否を判定できるので、ウエブページに入ってから電話をかけてきた正規の会員以外には、音声コンテンツを提供してしまうことがない。
また、この第２実施例のように、インターネットサーバーを第１サーバーＳ３、第２サーバーＳ４に分離することによって、第１サーバーＳ３として、図８に示す従来例のインターネットサーバーＳ１をそのまま用いることができる。従来例のインターネットサーバーＳ１には、電話サーバーＳ２に接続する機能は備えていないが、第２サーバーＳ４に、インターネットＩと電話サーバーＳ２の両方に接続可能な会員電話番号送信手段１２を備えれば、既存のインターネットサーバーを、そのまま第１サーバーＳ３として使うことができる。
【００２７】
なお、この第２実施例では、文字コンテンツ記憶手段４と、文字コンテンツ表示手段９とを第１サーバーＳ３に設けているが、これらを第２サーバーＳ４に設けてもかまわない。その場合に、第１サーバーＳ３では、この情報提供システムの初期画面だけを表示させる。さらに、上記文字コンテンツ記憶手段４を第１、第２サーバーＳ３、Ｓ４とは別に設けることもできる。
また、第２サーバーＳ４の文字コンテンツ記憶手段４には、複数の種類の文字コンテンツ画面を記憶させておき、電話サーバーＳ２の音声コンテンツ記憶手段６には、各文字コンテンツ画面に対応する音声コンテンツを記憶させておくこともできる。そして、第２サーバーＳ４から、電話サーバーＳ２へ会員電話番号を送信する際に、文字コンテンツ画面を特定する画面特定情報を一緒に送信するようにすれば、電話サーバーＳ２では、発信すべき音声コンテンツを特定することができる。
【００２８】
図４に示す第３実施例は、第１サーバーＳ３に、会員情報記憶手段３と、会員電話番号特定手段１０とを備え、第２サーバーＳ４に文字コンテンツ記憶手段４と、文字コンテンツ表示手段９と、会員電話番号送信手段１１と、コンテンツ修正手段１３とを備えた点が、上記第２実施例と異なる。また、インターネットＩには、上記文字コンテンツや音声コンテンツを作成し、提供するコンテンツ提供者のコンテンツ提供者端末１４を接続可能にしている。その他の構成は、第２実施例と同じである。特に、第２実施例と同じ符号を付けた構成要素は、その機能も同じなので、詳細な説明は省略する。
【００２９】
上記コンテンツ修正手段１３は、コンテンツ修正画面を備えていて、上記コンテンツ提供者端末１４からアクセスすることができるようにしている。
特定のコンテンツ提供者は、その端末１４から、上記第２サーバーＳ４にアクセスし、図示しないログイン画面に自身のＩＤとパスワードを入力すると、コンテンツ修正手段１３は、コンテンツ修正画面を表示させる。このとき表示されるコンテンツ修正画面には、上記特定のコンテンツ提供者が提供しているコンテンツの一覧表が表示される。
【００３０】
例えば、文字コンテンツ記憶手段４や音声コンテンツ記憶手段６に、他のコンテンツ提供者のコンテンツも記憶されていたとしても、コンテンツ修正手段１３へのログイン画面で入力したコンテンツ提供者ＩＤによって、その提供者のコンテンツを特定することができる。
コンテンツ提供者は、表示されたコンテンツ一覧から、修正したいコンテンツを選択すると、詳細変更画面が表示され、そこで、文字コンテンツや、音声コンテンツの変更ができるようにしている。
【００３１】
図５、図６に示す第４実施例は、会員が、文字コンテンツをファックスでも受け取ることができるようにしたシステムである。
電話サーバーＳ２に、ファックス送信手段１５を備えるとともに、上記電話サーバーから文字コンテンツを受信する会員のファックス機１７を備えた点が、第１実施例と異なるが、その他は、第１実施例と同じである。上記電話サーバーＳ２のファックス送信手段１５は、文字コンテンツ記憶手段４の文字コンテンツを、ファックスデータに変換して発信する手段である。
【００３２】
そして、この第４実施例のシステムによれば、会員は、第１実施例と全く同じ手順によって自分の携帯電話１で文字コンテンツを見ることもできるし、音声コンテンツを聞くこともできる。そして、電話サーバーＳ２は、非会員には、音声コンテンツを発信しないようにできる。
【００３３】
次に、このシステムによって、会員がファックス機１７で文字コンテンツを受け取る手順を説明する。
会員は、携帯電話１によって、インターネットサーバーＳ１にアクセスして、ウエブページを表示させる。
会員からのアクセスがあったら、インターネットサーバーＳ１の電話番号特定手段１０は、会員情報記憶部３の情報に基づいて、その会員の電話番号を特定し、この特定した会員電話番号を、会員電話番号送信手段１１が、電話サーバーＳ２へ送信する。電話サーバーＳ２では、会員電話番号記憶手段１２が、上記会員の電話番号を所定時間だけ記憶する。
【００３４】
また、上記携帯電話１に表示される画面の中には、図９に示すような「聞く」ボタン７を表示した画面のほかに、図６に示すように、「ＦＡＸ」ボタン１８が表示されたファックス要求画面を表示させることができる。この画面も、上記文字コンテンツ記憶手段４に記憶している。例えば、Ａのコンサート情報の詳細をファックスで受信したい会員のための、ファックス要求画面である。そして、この「ＦＡＸ」ボタン１８には、電話サーバーＳ２の電話番号が貼り付けられている。ただし、この「ＦＡＸ」ボタン１８に貼付されている電話番号は、図９の「聞く」ボタン７に貼付されている電話番号とは別のファックスを要求する会員のための電話番号である。
【００３５】
会員が図６の画面の中で、「ＦＡＸ」ボタン１８を選択して実行キーを押すと、会員の携帯電話１が、電話サーバーＳ２のファックス要求者のための電話番号に自動的に電話をかける。
ファックス要求者用の電話番号に電話がかかると、電話サーバーＳ２のファックス送信手段１５は、発信元電話番号を特定して、その電話番号を、インターネットサーバーＳ１から送信され、上記会員番号記憶手段１２に記憶している電話番号と対比する。その結果、両電話番号が一致しなかった場合には、上記ファックス送信手段１５は、非会員からの電話と判断して、その電話を切る。
【００３６】
一方、上記両電話番号が一致した場合には、ファックス送信手段１５は、かかってきた電話が会員のものであると認定し、ファックス番号を受け付けるためのメッセージを、会員の携帯電話１に送信する。このメッセージは例えば、「ファックスを送信します。送信先のファックス番号を入力し、最後に＃を押してください。」というようなものである。これに答えて、会員が、自分のファックス機１７のファックス番号を入力すると、ファックス送信手段１５が、入力されたファックス番号へファックスデータを送信する。
【００３７】
ここで送信されるファックスデータは、インターネットサーバーＳ１の文字コンテンツ記憶手段４に記憶されたものを上記ファックス送信手段１５がファックスデータに変換したものである。
この第４実施例では、文字コンテンツ記憶手段４が、この発明のインターネット用文字コンテンツと、電話回線用文字コンテンツの両方を記憶していることになる。つまり、上記文字コンテンツ記憶手段４が、この発明の第１文字コンテンツ記憶手段と第２文字コンテンツ記憶手段両方の機能を兼ね備えていることになる。もちろん、これらの文字コンテンツ記憶手段は別々に備えてもかまわない。例えば、この発明の第２文字コンテンツ記憶手段を電話サーバーＳ２側に設け、そこに電話回線用文字コンテンツを記憶させておくようにしてもかまわない。
この第４実施例のシステムでは、電話番号によって、会員の認証ができた場合に限り、ファックス番号を受け付け、そのファックス番号宛に文字コンテンツを発信するようにしている。そのため、正規の会員以外が、ファックスで文字コンテンツを受信することはできない。
【００４３】
なお、上記第４実施例において、ファックスデータとして送信する電話回線用文字コンテンツは、インターネットＩを介して携帯電話１に表示させるインターネット用文字コンテンツと同じ内容ものでもよいが、携帯電話１に表示させたものよりも詳細な情報など、インターネット用の情報とは別の情報からなるファックス用、すなわち電話回線用文字コンテンツを用意することもできる。
以上のように、第１〜第４実施例の情報提供システムによれば、従来では、できなかった電話サーバーＳ２側での会員認証を、簡単かつ確実にできるようになった。そのため、電話による音声コンテンツの提供や、ファックスへの文字コンテンツの提供を、非会員に対して行ってしまうことがない。従って、例えば、有料コンテンツが無料で利用されることを防止できる。
【００４４】
【発明の効果】
第１〜第３の発明によれば、電話回線を介して提供する音声コンテンツを提供する際に、自動的に会員認証を行い、正規の会員にのみ音声コンテンツを提供することができる。これにより、不正な方法で、電話サーバーにアクセスしたユーザーに、音声コンテンツを提供してしまうことがない。
第２の発明によれば、複数の文字コンテンツとそれに対応する音声コンテンツを対応づけて記憶させることができ、提供情報の種類が豊富になる。
第３の発明によれば、第２サーバーに、インターネットと、電話サーバーの両方に接続可能な機能を分離して設けることにより、既存のインターネットサーバーをそのまま第１サーバーとして利用することができる。また、複数の第１サーバーが、１つの第２サーバー及び電話サーバーを共有することもできる。
【００４５】
第４の発明によれば、会員のファックス機に対して文字情報を送信する際にも、会員の認証を自動的に行うことができ、非会員に対して、情報提供をしてしまうことがない。
【図面の簡単な説明】
【図１】  第１実施例のシステム構成図である。
【図２】  第１実施例の処理部の詳細を示した図である。
【図３】  第２実施例のシステム構成図である。
【図４】  第３実施例のシステム構成図である。
【図５】  第４実施例のシステム構成図である。
【図６】  第４実施例のファックス要求画面を表した図である。
【図７】  従来例のシステム構成図である。
【図８】  従来例の音声コンテンツ要求画面である。
【符号の説明】
１          携帯電話
３          会員情報記憶手段
８          処理部
９          文字コンテンツ表示手段
１０        会員電話番号特定手段
１１        会員電話番号送信手段
１２        会員電話番号記憶手段
１３        コンテンツ修正手段
１４        コンテンツ提供者端末
１５        ファックス送信手段
１６        ファックス番号送信手段
１７        ファックス機
１８        「ＦＡＸ」ボタン
Ｓ１        インターネットサーバー
Ｓ２        電話サーバー
Ｓ３        第１サーバー
Ｓ４        第２サーバー
Ｉ          インターネット
Ｔ          電話回線
Ｌ          ＬＡＮ回線
【図１】
0004112253.tif 000002
【図２】
0004112253.tif 000003
【図３】
0004112253.tif 000004
【図４】
0004112253.tif 000005
【図５】
0004112253.tif 000006
【図６】
0004112253.tif 000007
【図７】
0004112253.tif 000008
【図８】
0004112253.tif 000009